(57)【要約】【課題】連続的な演出をその後の遊技の展開に応じて調整することで演出内容の矛盾を回避する弾球遊技機を提供する。【解決手段】ぱちんこ遊技機１０において、変動パターン決定手段１１４は複数の変動パターンからいずれかを当否抽選の結果に応じて選択し、保留制御手段１１６は始動口６２への新たな入球に対する当否抽選の結果を所定個数を上限に保留する。演出決定手段１３２は、保留されている結果のうちいずれかが当たりを示すか否かに応じて、その結果に対応する図柄変動に至るまでの複数回の図柄変動のそれぞれに演出表示要素を表示させることで全体として当たりの期待度を示唆する一つの演出内容が展開される連続変動演出の開始を決定する。【選択図】図１
2010233702.tif 000002
【特許請求の範囲】
【請求項１】
遊技領域が形成された遊技盤と、
前記遊技領域の所定位置に設けられ、遊技球の入球が抽選の契機となる始動入賞口と、
前記始動入賞口への入球を契機として、通常遊技より遊技者に有利な状態である特別遊技へ移行するか否かを判定するための当否抽選を実行する当否抽選手段と、
前記当否抽選が前記特別遊技への移行を示す結果となった場合に前記特別遊技を実行する特別遊技制御手段と、
前記当否抽選の結果を示すための図柄が変動表示される図柄表示装置と、
前記図柄の変動表示における変動開始から停止までの変動過程が定められた複数の変動パターンからいずれかを前記当否抽選の結果に応じて選択する変動パターン決定手段と、
前記始動入賞口へ新たな入球があったときにそれ以前の入球に対応する図柄変動が表示されている場合、前記新たな入球に対する当否抽選の結果を所定個数を上限にその抽選に対応する図柄の変動表示開始まで保留する保留制御手段と、
前記保留されている結果のうちいずれかが当たりを示すか否かに応じて、その結果に対応する図柄変動に至るまでの複数回の図柄変動のそれぞれに演出表示要素を表示させることで全体として当たりの期待度を示唆する一つの演出内容が展開される連続変動演出の開始を決定する演出決定手段と、
前記変動パターンにしたがった前記図柄の変動と前記開始が決定された連続変動演出を前記図柄表示装置に表示させる表示制御手段と、を備え、
前記当否抽選手段および前記変動パターン決定手段は、前記新たな入球があったときに、その入球に対応する図柄変動表示が直ちに開始されるか否かにかかわらずその入球に対応する前記当否抽選の結果を示す情報および前記変動パターンを示す情報を前記演出決定手段へ送信し、
前記演出決定手段は、前記連続変動演出の開始前にその時点で選択されている変動パターンに基づく前記演出表示要素の表示許容度に応じて前記図柄の変動ごとに表示させる前記演出表示要素の態様を決定することで前記連続変動演出の演出内容を決定するとともに、前記連続変動演出の開始後における前記保留されている結果数の変化に基づく前記演出表示要素の表示許容度の変化に応じて、その後に表示させるべき前記演出表示要素の態様を、前記演出内容により示唆する期待度を全体として満たすように決定し直すことを特徴とする弾球遊技機。
【請求項２】
前記変動パターン決定手段は、前記保留されている結果数が増加して所定の基準数以上に達したときに前記図柄の変動パターンとして相対的に変動時間の短い変動パターンを選択するよう選択基準を切り替え、
前記演出決定手段は、前記連続変動演出の開始後において前記保留されている結果数の増加に伴う前記変動時間の短縮化が生じた場合に、その短縮化に基づく前記演出表示要素の表示許容度の低下に応じて、その後に表示させるべき前記演出表示要素の態様を、前記演出内容により示唆する期待度を全体として満たすように決定し直すことを特徴とする請求項１に記載の弾球遊技機。
【請求項３】
前記演出決定手段は、前記保留されている結果のうちいずれかが当たりを示すか否か、および、その結果に対応する変動パターンが相対的に変動時間の長い変動パターンであるか否かに応じて前記連続変動演出の開始を決定することを特徴とする請求項１または２に記載の弾球遊技機。
【発明の詳細な説明】
【技術分野】
【０００１】
本発明は、ぱちんこ遊技機等の弾球遊技機に関し、特に弾球遊技機における画面表示内容を制御する技術に関する。
【背景技術】
【０００２】
従来、各種の弾球遊技機のうち、いわゆる第１種ぱちんこ遊技機と呼ばれていた遊技機は、遊技盤の略中央に設けられた液晶ディスプレイなどの表示領域に複数の図柄を変動させながら表示する（以下、そうした表示を「図柄変動」または「変動表示」等という）。この遊技機は、複数列の図柄変動を停止させたときの図柄の組合せが特定の態様となった場合に、通常遊技より多くの賞球が得られる、いわゆる大当たりと呼ばれる特別遊技へと移行するものとして知られている（例えば、特許文献１参照）。表示領域における図柄の変動表示は、単に複数の図柄が変動表示されるだけでなく、いわゆるリーチ画面と呼ばれる状態のように、あと一つ図柄が揃えば大当たりとなる状態で変動表示の時間を通常よりも長くする等、遊技者の期待感を高めるための演出が図られている。また、図柄等の画像にキャラクタを用いて変動表示にストーリーを持たせる演出を施したり、特別遊技への移行確率を変動させる確率変動等の特定遊技の制御によっても遊技者の期待感を高めている。
【先行技術文献】
【特許文献】
【０００３】
【特許文献１】特開２００３−２３０７１４号公報
【特許文献２】特開２００４−１４１６２４号公報
【特許文献３】特開２００４−０７３３９３号公報
【発明の概要】
【発明が解決しようとする課題】
【０００４】
近年、図柄変動等における演出は、出現させるキャラクタやモチーフが多様であるだけでなく、用いられる演出の手法も多様化している。例えば、一連のつながりを有する演出を複数回の図柄変動にわたって段階的に表示し、その段階数が進むほど大当たりが近づく期待感を遊技者に与える演出が知られている（例えば、特許文献２、３参照）。連続する図柄変動とともに演出を連続させることにより遊技者の期待感を高揚させるものである。こうした連続的な演出の場合、演出開始時に一括して連続的な演出内容を決定するが、その後の遊技の展開次第では遊技状況と演出内容とで矛盾が生じるおそれがあった。また、そうした矛盾を設計段階から避けようとすると、結果的に演出の設計自由度が狭まるおそれもあり、一貫性を保ったまま演出内容を充実させるのも容易ではない。
【０００５】
本発明はこうした課題に鑑みてなされたものであり、その目的は、弾球遊技機において遊技状況の変化に対して柔軟に対応できる演出の設計を実現することにある。
【課題を解決するための手段】
【０００６】
上記課題を解決するために、本発明のある態様の弾球遊技機は、遊技領域が形成された遊技盤と、遊技領域の所定位置に設けられ、遊技球の入球が抽選の契機となる始動入賞口と、始動入賞口への入球を契機として、通常遊技より遊技者に有利な状態である特別遊技へ移行するか否かを判定するための当否抽選を実行する当否抽選手段と、当否抽選が特別遊技への移行を示す結果となった場合に特別遊技を実行する特別遊技制御手段と、当否抽選の結果を示すための図柄が変動表示される図柄表示装置と、図柄の変動表示における変動開始から停止までの変動過程が定められた複数の変動パターンからいずれかを当否抽選の結果に応じて選択する変動パターン決定手段と、始動入賞口へ新たな入球があったときにそれ以前の入球に対応する図柄変動が表示されている場合、新たな入球に対する当否抽選の結果を所定個数を上限にその抽選に対応する図柄の変動表示開始まで保留する保留制御手段と、保留されている結果のうちいずれかが当たりを示すか否かに応じて、その結果に対応する図柄変動に至るまでの複数回の図柄変動のそれぞれに演出表示要素を表示させることで全体として当たりの期待度を示唆する一つの演出内容が展開される連続変動演出の開始を決定する演出決定手段と、変動パターンにしたがった図柄の変動と開始が決定された連続変動演出を図柄表示装置に表示させる表示制御手段と、を備える。当否抽選手段および変動パターン決定手段は、新たな入球があったときに、その入球に対応する図柄変動表示が直ちに開始されるか否かにかかわらずその入球に対応する当否抽選の結果を示す情報および変動パターンを示す情報を演出決定手段へ送信し、演出決定手段は、連続変動演出の開始前にその時点で選択されている変動パターンに基づく演出表示要素の表示許容度に応じて図柄の変動ごとに表示させる演出表示要素の態様を決定することで連続変動演出の演出内容を決定するとともに、連続変動演出の開始後における保留されている結果数の変化に基づく演出表示要素の表示許容度の変化に応じて、その後に表示させるべき演出表示要素の態様を、演出内容により示唆する期待度を全体として満たすように決定し直す。
【０００７】
ここで「連続変動演出」は、図柄変動の演出として実現されてもよいし、図柄変動と並行して実行される、いわゆる予告演出として実現されてもよい。「図柄表示装置」は、当否抽選の結果を示す特別図柄を表示させる装置とともに、当否抽選の結果を演出的に示す装飾図柄を表示させる装置をさらに包含する概念であってもよい。「表示制御手段」は、当否抽選の結果を示す特別図柄の表示を制御する手段とともに、当否抽選の結果を演出的に示す装飾図柄の表示を制御する手段をさらに包含する概念であってもよい。「演出表示要素」は、図柄変動ごとに表示させるときのその外観上の態様を、複数回の図柄変動にわたる演出内容として遊技者が見たときに、大当たりへの期待度が演出全体から視覚的に把握できるよう構成してもよい。「演出表示要素の態様」は、例えば演出表示要素の表示個数、表示色、表示サイズ等の視覚的に判別できる表示オブジェクトの態様であってもよく、全体の演出内容としてはそれら要素の集合ないし合計によって大当たりへの期待度の高さを示してもよい。
【０００８】
この態様によると、保留される当否抽選結果数の事後的な変化によって変動パターンが当初の予定とは異なることとなっても、その後の図柄変動において表示させる演出表示要素の態様を調整することで演出全体の示唆内容をそのまま維持することができる。このように、変動開始を待たずに複数回分の図柄変動についていったん決定した連続変動演出の演出内容をそのまま趣旨を変えずに最後まで維持して実行でき、演出に矛盾が生じることや不自然な演出に変わってしまうことを回避できる。
【０００９】
変動パターン決定手段は、保留されている結果数が増加して所定の基準数以上に達したときに図柄の変動パターンとして相対的に変動時間の短い変動パターンを選択するよう選択基準を切り替え、演出決定手段は、連続変動演出の開始後において保留されている結果数の増加に伴う変動時間の短縮化が生じた場合に、その短縮化に基づく演出表示要素の表示許容度の低下に応じて、その後に表示させるべき演出表示要素の態様を、演出内容により示唆する期待度を全体として満たすように決定し直してもよい。ここでいう「選択基準」は、例えば複数の変動パターンと所定の抽選値との対応関係が定義されたテーブルであってもよい。「相対的に変動時間の短い」は、通常の外れ変動パターンないし平均的な変動時間を持つ外れ変動パターンよりも短縮された変動時間をもつ変動パターンを示してもよい。
【００１０】
この態様によれば、事後的に変動時間が短縮されて演出表示要素の表示許容度が低下することで予定通りの態様が表示できなくなった場合でも、その後の図柄変動において演出表示要素の態様を調整することで最終的には演出全体の示唆内容をそのまま維持することができる。これにより、変動開始を待たずに複数回分の図柄変動についていったん決定した連続変動演出の演出内容をそのまま趣旨を変えずに最後まで維持して実行することができ、演出に矛盾が生じることや不自然な演出に変わってしまうことを回避できる。
【００１１】
演出決定手段は、保留されている結果のうちいずれかが当たりを示すか否か、および、その結果に対応する変動パターンが相対的に変動時間の長い変動パターンであるか否かに応じて連続変動演出の開始を決定してもよい。この態様によれば、連続変動演出を実行する複数回の図柄変動における最後の図柄変動が、通常の変動パターンより変動時間が長くなる。したがって、その最後の図柄変動に至るまでの過程で変動時間が短縮されて演出表示要素を予定通り表示できなかった場合にも、最後の図柄変動にて最終的な帳尻あわせによって演出全体の示唆内容をそのまま維持することができる。
【００１２】
なお、以上の構成要素の任意の組合せや、本発明の構成要素や表現を方法、装置、システム、コンピュータプログラム、コンピュータプログラムを格納した記録媒体、データ構造などの間で相互に置換したものもまた、本発明の態様として有効である。
【発明の効果】
【００１３】
本発明の弾球遊技機によれば、遊技状況の変化に対して柔軟に対応できる演出の設計を実現することができる。
【図面の簡単な説明】
【００１４】
【図１】ぱちんこ遊技機の前面側における基本的な構造を示す図である。
【図２】ぱちんこ遊技機の背面側における基本的な構造を示す図である。
【図３】本実施例におけるぱちんこ遊技機の機能ブロックを示す図である。
【図４】当否判定テーブルを模式的に示す図である。
【図５】事前当否判定で参照される事前当否判定テーブルを模式的に示す図である。
【図６】図柄判定テーブルを模式的に示す図である。
【図７】事前図柄判定で参照される事前図柄判定テーブルを模式的に示す図である。
【図８】変動パターンテーブルを模式的に示す図である。
【図９】事前パターン判定で参照される事前パターン判定テーブルを模式的に示す図である。
【図１０】外れ用の変動パターンテーブルを詳細に示す図である。
【図１１】連続予告演出における演出表示要素の出現過程を模式的に示す図である。
【図１２】連続予告演出の開始を決定する時点における演出表示要素の配分と、連続予告演出の開始後に調整した演出表示要素の配分を模式的に示す図である。
【図１３】第１図柄変動、第２図柄変動、第３図柄変動のそれぞれに全部で５種類の演出表示要素を出現させる場合の演出表示要素の出現回数の組合せを示すテーブルの図である。
【図１４】ぱちんこ遊技機における基本的な動作過程を示すフローチャートである。
【図１５】図１４におけるＳ１０の入賞処理を詳細に示すフローチャートである。
【図１６】図１５におけるＳ２８の事前判定処理を詳細に示すフローチャートである。
【図１７】図１４におけるＳ１４の通常遊技制御処理の全体的な過程を示すフローチャートである。
【図１８】図１７におけるＳ１５０の先読み処理を詳細に示すフローチャートである。
【図１９】図１７におけるＳ１５２の特別図柄変動処理の実行処理を詳細に示すフローチャートである。
【図２０】図１９におけるＳ１５４の装飾図柄変動処理の実行処理を詳細に示すフローチャートである。
【図２１】図１４におけるＳ１６の特別遊技を詳細に示すフローチャートである。
【発明を実施するための形態】
【００１５】
図１は、ぱちんこ遊技機の前面側における基本的な構造を示す。以下、弾球遊技機として従来にいういわゆる第１種ぱちんこ遊技機を例に説明する。ぱちんこ遊技機１０は、主に遊技機枠と遊技盤で構成される。ぱちんこ遊技機１０の遊技機枠は、外枠１１、前枠１２、透明板１３、扉１４、上球皿１５、下球皿１６、および発射ハンドル１７を含む。外枠１１は、開口部分を有し、ぱちんこ遊技機１０を設置すべき位置に固定するための枠体である。前枠１２は、外枠１１の開口部分に整合する枠体であり、図示しないヒンジ機構により外枠１１へ開閉可能に取り付けられる。前枠１２は、遊技球を発射する機構や、遊技盤を着脱可能に収容させるための機構、遊技球を誘導または回収するための機構等を含む。
【００１６】
透明板１３は、ガラスなどにより形成され、扉１４により支持される。扉１４は、図示しないヒンジ機構により前枠１２へ開閉可能に取り付けられる。上球皿１５は、遊技球の貯留、発射レールへの遊技球の送り出し、下球皿１６への遊技球の抜き取り等の機構を有する。下球皿１６は、遊技球の貯留、抜き取り等の機構を有する。上球皿１５と下球皿１６の間にはスピーカ１８が設けられており、遊技状態などに応じた効果音が出力される。
【００１７】
遊技盤５０は、外レール５４と内レール５６により区画された遊技領域５２上に、アウト口５８、特別図柄表示装置６１、演出表示装置６０、始動入賞口（以下、「始動口」という）６２、センター飾り６４、大入賞口６６、作動口６８、一般入賞口７２を含む。さらに遊技領域５２には、図示しない複数の遊技釘や風車などの機構が設置される。始動口６２は、遊技球の入球を検出するための始動入賞検出装置７４と、始動口６２の拡開機構を拡開させるための普通電動役物ソレノイド７６を備える。始動口６２の拡開機構が拡開されたとき、始動口６２の開口幅が拡がって入球容易性が向上する。始動入賞検出装置７４は、始動口６２への遊技球の入球を検出するセンサであり、入球時にその入球を示す始動入賞情報を生成する。一般入賞口７２は、遊技球の入球を検出するための一般入賞検出装置７３を備える。一般入賞検出装置７３は、一般入賞口７２への遊技球の入球を検出するセンサであり、入球時にその入球を示す一般入賞情報を生成する。大入賞口６６は、遊技球の入球を検出するための入賞検出装置７８と、大入賞口６６を拡開させるための大入賞口ソレノイド８０を備える。入賞検出装置７８は、大入賞口６６への遊技球の入球を検出するセンサであり、入球時にその入球を示す大入賞口入賞情報を生成する。
【００１８】
大入賞口６６は、特別図柄１９２が所定の態様にて停止したときに「大当たり」として開放状態となる横長方形状の入賞口である。大入賞口６６はアウト口５８の上方等の位置に設けられる。大入賞口６６の入賞検出装置７８は、遊技球の通過を検出するセンサを備えて構成される。
【００１９】
遊技領域５２の左方に設けられた特別図柄表示装置６１および遊技領域５２の略中央に設けられた演出表示装置６０は、それぞれの画面に特別図柄１９２の変動と、特別図柄１９２に連動する装飾図柄１９０を含む演出画像の変動を表示する（以下、そうした表示を「図柄変動」または「変動表示」等という）。ここで、特別図柄１９２は、始動口６２への遊技球の落入を契機として行われる抽選の結果に対応した図柄であり、その変動表示が停止されたときの図柄態様が当たりと定められた図柄であった場合、その停止図柄が表示されたタイミングが大当たり発生タイミングとなる。特別図柄表示装置６１は、例えば７セグメントＬＥＤで構成される表示手段である。演出表示装置６０は、特別図柄１９２の変動表示と連動する形で装飾図柄１９０を変動表示する液晶ディスプレイである。装飾図柄１９０は、特別図柄１９２で示される抽選の結果表示を視覚的に演出するための図柄である。演出表示装置６０は、装飾図柄１９０として、例えばスロットマシンのゲームを模した複数列の図柄変動の動画像を画面の中央領域に表示する。演出表示装置６０は、この実施例では液晶ディスプレイで構成されるが、ドラムなどの機械式回転装置やＬＥＤなどの他の表示手段で構成されてもよい。なお、特別図柄１９２は必ずしも演出的な役割をもつことを要しないため、本実施例では演出表示装置６０の左下方の特別図柄表示装置６１にて目立たない大きさで表示させるが、特別図柄自体に演出的な役割をもたせて装飾図柄を表示させないような手法を採用する場合には、特別図柄を演出表示装置６０のような液晶ディスプレイに表示させてもよい。作動口６８は、遊技盤５０の左側方位置に設けられる。作動口６８は、通過検出装置６９を含む。通過検出装置６９は、作動口６８への遊技球の通過を検出するセンサであり、通過時にその通過を示す通過情報を生成する。作動口６８への遊技球の通過は始動口６２の拡開機構を拡開させるか否かを決定する開放抽選の契機となる。作動口６８を遊技球が通過すると、開放抽選の結果を示す図柄である普通図柄が普通図柄表示装置５９に変動表示される。普通図柄表示装置５９は演出表示装置６０の右下方に設けられる。所定時間の経過後に普通図柄の変動表示が停止すると、通常、５０％から８０％程度の確率で始動口６２が所定時間拡開する。
【００２０】
演出表示装置６０の周囲には、センター飾り６４が設けられる。センター飾り６４は、遊技球の流路、特別図柄表示装置６１および演出表示装置６０の保護、装飾等の機能を有する。演出表示装置６０の下方には、抽選保留ランプ２０が設けられ、その対称的な位置である遊技領域５２の右下部には、普通図柄表示装置５９の下に作動保留ランプ２２が設けられている。抽選保留ランプ２０は、４個のランプからなり、その点灯個数によって当否抽選の保留数を表示する。当否抽選の保留数は、図柄変動中または特別遊技中に始動口６２へ入賞した抽選結果の個数であり、図柄変動がまだ実行されていない入賞球の数を示す。当否抽選の保留数が３個になると、遊技効率を高めるために外れの場合の図柄変動時間が通常より短縮される（以下、「短縮」ともいう）。例えば、７秒の図柄変動に短縮される。同様に、当否抽選の保留数が４個になると、さらに遊技効率を高めるために外れの場合の図柄変動時間が上記３個の場合よりもさらに短縮される（以下、「超短縮」ともいう）。例えば、３秒の図柄変動に短縮される。
【００２１】
作動保留ランプ２２もまた４個のランプからなり、その点灯個数によって普通図柄変動の保留数を表示する。普通図柄変動の保留数は、普通図柄の変動中に作動口６８を通過した遊技球の個数であり、普通図柄の変動がまだ実行されていない普通図柄抽選の数を示す。さらに演出表示装置６０の上方および下方には、それぞれ遊技効果ランプ９０が設けられている。操作ボタン８２は、遊技者が遊技機へ所定の指示を入力するために操作するボタンである。操作ボタン８２は、上球皿１５近傍の外壁面に設けられる。
【００２２】
遊技者が発射ハンドル１７を手で回動させると、その回動角度に応じた強度で上球皿１５に貯留された遊技球が１球ずつ内レール５６と外レール５４に案内されて遊技領域５２へ発射される。遊技者が発射ハンドル１７の回動位置を手で固定させると一定の時間間隔で遊技球の発射が繰り返される。遊技領域５２の上部へ発射された遊技球は、複数の遊技釘や風車に当たりながらその当たり方に応じた方向へ落下する。遊技球が一般入賞口７２や始動口６２、大入賞口６６の各入賞口へ落入すると、その入賞口の種類に応じた賞球が上球皿１５または下球皿１６に払い出される。一般入賞口７２等の各入賞口に落入した遊技球はセーフ球として処理され、アウト口５８に落入した遊技球はアウト球として処理される。なお、各入賞口は遊技球が通過するゲートタイプのものを含み、本願において「落入」「入球」「入賞」というときは「通過」を含むものとする。
【００２３】
遊技球が始動口６２に落入すると、特別図柄表示装置６１および演出表示装置６０において特別図柄１９２および装飾図柄１９０が変動表示される。特別図柄１９２および装飾図柄１９０の変動表示は、表示に先だって決定された表示時間の経過後に停止される。停止時の特別図柄１９２および装飾図柄１９０が大当たりを示す図柄である場合、通常遊技よりも遊技者に有利な遊技状態である特別遊技に移行し、大入賞口６６の開閉動作が開始される。このときスロットマシンのゲームを模した装飾図柄１９０は、３つの図柄を一致させるような表示態様をとる。特別遊技において、大入賞口６６は、約３０秒間開放された後、または９球以上の遊技球が落入した後で一旦閉鎖される。このような大入賞口６６の開閉が所定回数、例えば１５回繰り返される。
【００２４】
特別遊技が終了した後の通常遊技においては特定遊技の一つである変動時間短縮遊技（以下、適宜「時短」という）が開始される。変動時間短縮遊技においては、特別図柄および装飾図柄の変動時間が通常より短縮される。特別図柄および装飾図柄の変動時間は、所定の変動回数の変動表示がなされた後で元の変動時間に戻される。特別遊技が発生した場合であってそのときの当たり停止図柄が特定の態様であった場合、特別遊技の終了後に特定遊技の一つである確率変動遊技（以下、適宜「確変」という）がさらに開始される。確率変動遊技においては、通常の確率状態より当たりの確率が高い抽選が行われ、比較的早期に新たな特別遊技が発生する。
【００２５】
図２は、ぱちんこ遊技機の背面側における基本的な構造を示す。電源スイッチ４０はぱちんこ遊技機１０の電源をオンオフするスイッチである。メイン基板１０２は、ぱちんこ遊技機１０の全体動作を制御し、特に始動口６２へ入賞したときの抽選等、遊技動作全般を処理する。サブ基板１０４は、液晶ユニット４２を備え、演出表示装置６０における表示内容や複数の可動役物１４０の動作、遊技効果ランプ９０の点灯を制御し、特にメイン基板１０２による抽選結果に応じて表示内容を変動させ、その演出の進行に沿って可動役物１４０や遊技効果ランプ９０の点灯を作動させる。メイン基板１０２およびサブ基板１０４は、遊技制御装置１００を構成する。セット基板３９は、賞球タンク４４や賞球の流路、賞球を払い出す払出ユニット４３等を含む。払出ユニット４３は、各入賞口への入賞に応じて賞球タンク４４から供給される遊技球を上球皿１５へ払い出す。払出制御基板４５は、払出ユニット４３による払出動作を制御する。発射装置４６は、上球皿１５の貯留球を遊技領域５２へ１球ずつ発射する。発射制御基板４７は、発射装置４６の発射動作を制御する。電源ユニット４８は、ぱちんこ遊技機１０の各部へ電力を供給する。
【００２６】
図３は、本実施例におけるぱちんこ遊技機１０の機能ブロックを示す。ぱちんこ遊技機１０において、遊技制御装置１００は、始動口６２、大入賞口６６、一般入賞口７２、作動口６８、特別図柄表示装置６１、演出表示装置６０、普通図柄表示装置５９、操作ボタン８２、スピーカ１８、遊技効果ランプ９０、可動役物１４０のそれぞれと電気的に接続されており、各種制御信号の送受信を可能とする。遊技制御装置１００は、遊技の基本動作だけでなく、図柄変動表示や可動役物１４０、電飾等の演出的動作も制御する。遊技制御装置１００は、遊技の基本動作を含むぱちんこ遊技機１０の全体動作を制御するメイン基板１０２と、図柄の演出等を制御するサブ基板１０４とに機能を分担させた形態で構成される。遊技制御装置１００は、ハードウエア的にはデータやプログラムを格納するＲＯＭやＲＡＭ、演算処理に用いるＣＰＵ等の素子を含んで構成される。
【００２７】
本実施例におけるメイン基板１０２は、入球判定手段１１０、当否抽選手段１１１、保留制御手段１１６、メイン表示制御手段１１８、特別遊技制御手段１２０、特定遊技実行手段１２２、開閉制御手段１２４、普図抽選手段１３６、条件保持手段１７６を備える。本実施例におけるサブ基板１０４は、パターン記憶手段１３０、図柄態様決定手段１３１、演出決定手段１３２、演出表示制御手段１３４、役物制御手段１３５を備える。なお、メイン基板１０２に含まれる各機能ブロックは、いずれかがメイン基板１０２ではなくサブ基板１０４に搭載されるかたちで構成されてもよい。同様に、サブ基板１０４に含まれる各機能ブロックは、いずれかがサブ基板１０４ではなくメイン基板１０２に搭載されるかたちで構成されてもよい。
【００２８】
ただし、メイン基板１０２とサブ基板１０４の間におけるデータの送受信はメイン基板１０２からサブ基板１０４への一方向であるため、そのような一方向でのデータ送受信にて全体動作が実現されるよう各構成がメイン基板１０２とサブ基板１０４に配置される。このようにメイン基板１０２からサブ基板１０４へのデータ送信の一方向性が保たれるため、サブ基板１０４に含まれる構成からメイン基板１０２に含まれる構成へはデータを送信することができず、データ送信の要求もできない。したがって、メイン基板１０２で生成された情報は、メイン基板１０２がサブ基板１０４へ一方的に送信しない限りサブ基板１０４から参照することはできない。
【００２９】
入球判定手段１１０は、各入賞口への遊技球の入球を判定する。入球判定手段１１０は、始動入賞情報を受け取ると遊技球が始動口６２に入賞したと判断し、大入賞口入賞情報を受け取ると遊技球が大入賞口６６に入賞したと判断し、一般入賞情報を受け取ると遊技球が一般入賞口７２に入賞したと判断する。入球判定手段１１０は、通過情報を受け取ると遊技球が作動口６８を通過したと判断する。
【００３０】
始動口６２への入球に対応する当否抽選を実行する当否抽選手段１１１は、抽選値取得手段１１２、当否判定手段１１３、変動パターン決定手段１１４を含む。当否抽選の結果は、特別図柄表示装置６１において特別図柄１９２の変動表示の形で示され、演出表示装置６０において装飾図柄１９０の変動表示の形で示される。
【００３１】
当否抽選手段１１１は、図柄変動を開始するにあたり、その図柄変動に対応する抽選の結果を図柄変動の制御コマンドとともに図柄態様決定手段１３１および演出決定手段１３２へ送信する。さらに、当否抽選手段１１１は、始動口６２への入球時にも事前判定処理として抽選値が当否判定におけるいずれの抽選値範囲に該当するかの事前当否判定を実行し、その判定結果を抽選結果として図柄態様決定手段１３１および演出決定手段１３２へ送信する。事前判定処理の結果は送信バッファに一時保存された後、その抽選に対応する図柄変動表示が直ちに開始されるか否かにかかわらず図柄態様決定手段１３１および演出決定手段１３２へ送信され、送信バッファから消去または後に上書きされる。そのため、サブ基板１０４の側にとっては図柄変動開始の順番が巡ってくる前にあらかじめ当否結果を推測的に認識できる、いわゆる「先読み」と呼ばれる処理が実現される。
【００３２】
抽選値取得手段１１２は、始動口６２への入球を契機に、当否抽選のために乱数の値を当否抽選値として取得する。例えば、当否抽選のために当否抽選値として取得する値は「０」から「６５５３５」までの値範囲から取得される。なお、本願にいう「乱数」は、数学的に発生させる乱数でなくてもよく、ハードウエア乱数やソフトウエア乱数などにより発生させる疑似乱数でもよい。抽選値取得手段１１２が当否抽選値として取得する値は、保留制御手段１１６により一時的に保留される。ただし、所定の保留上限数を超えない範囲で当否抽選値が保留される。
【００３３】
当否判定手段１１３は、当否抽選値に基づき、特別遊技または小当たり遊技へ移行するか否かを判定する当否判定と、当否抽選値が当否判定におけるいずれの抽選値範囲に該当するかの事前当否判定を実行する。当否判定手段１１３は、当否判定で参照する当否判定テーブルと事前当否判定テーブルを保持する。なお、図柄変動を開始するにあたって実行する当否判定を、特に事前当否判定と区別するために、適宜「本判定としての当否判定」とも呼ぶ。
【００３４】
図４は、当否判定テーブルを模式的に示す図である。本図の当否判定テーブルには、大当たり、小当たり、外れの判定結果と当否抽選値とが対応付けられており、対応付けられたそれぞれの範囲設定に応じて大当たり当否確率や小当たりの当否確率が定まる。当否判定手段１１３は、本判定としての当否判定において本図の当否判定テーブルを参照する。当否判定手段１１３による当否抽選においては、通常時には当否抽選値が０〜２９９の範囲に該当したときのみ大当たりとなる。確変時には大当たりの範囲が拡大され、当否抽選値が０〜２９９の範囲に該当する場合だけでなく、３００〜２９９９の範囲に該当する場合にも大当たりとなる。このように、大当たりに該当する範囲は遊技状態に応じて変化する。なお、本図では単一の当否判定テーブルによって通常時と確変時の双方の大当たり範囲を示したが、当否判定テーブルは通常時用と確変時用とで別個に用意してもよい。
【００３５】
本実施例においては、当否抽選値が大当たり範囲に該当しない、いわゆる外れとなった場合であっても、所定の範囲に該当した場合には小当たりとなる。本図の例では、当否判定手段１１３が取得する当否抽選値が６００００〜６５５３５の範囲に該当した場合に小当たりとなる。このように、大当たりに該当しなかった場合、本来はすべて「外れ」であるが、本図の例では大当たりに該当しなかった場合のうち小当たりにも該当しなかった場合の当否抽選値範囲を特に「外れ」と表現している。なお、本図では大当たりか否かの判定テーブルと小当たりか否かの判定テーブルとを単一の当否判定テーブルの形で実現する例を示したが、それぞれを別個のテーブルとして実現してもよい。
【００３６】
図５は、事前当否判定で参照される事前当否判定テーブルを模式的に示す図である。当否判定手段１１３は、この事前当否判定テーブルを参照し、当否抽選値が「０〜２９９」の場合はその旨を示す「１」の値を判定結果としての当否範囲に設定し、当否抽選値が「３００〜２９９９」の場合はその旨を示す「２」の値を判定結果としての当否範囲に設定する。当否抽選値が「３０００〜５９９９９」の場合はその旨を示す「３」の値を判定結果としての当否範囲に設定し、当否抽選値が「６００００〜６５５３５」の場合はその旨を示す「４」の値を判定結果としての当否範囲に設定する。当否判定手段１１３は、以上のように当否範囲を設定するたびにその値を保留の個数とともに図柄態様決定手段１３１および演出決定手段１３２へ送信する。
【００３７】
図３に戻り、当否判定手段１１３は、別途取得する図柄抽選値と当否判定の結果に基づいて、図柄の変動開始にあたってその停止図柄を決定するとともに、図柄抽選値がいずれの図柄範囲に該当するかの事前図柄判定を実行する。当否判定手段１１３は、特別図柄の停止図柄を決定するために参照する複数の図柄判定テーブルと事前図柄判定テーブルを保持する。当否判定手段１１３は、当否判定結果に応じて異なる図柄判定テーブルを参照する。なお、図柄変動を開始するにあたって実行する図柄判定を、特に事前図柄判定と区別するために、適宜「本判定としての図柄判定」とも呼ぶ。
【００３８】
図６は、図柄判定テーブルを模式的に示す図である。図６（ａ）は当否判定結果が大当たりであった場合に参照するテーブルであり、図６（ｂ）は当否判定結果が外れであった場合に参照するテーブルであり、図６（ｃ）は当否判定結果が小当たりであった場合に参照するテーブルである。当否判定手段１１３は、本判定としての図柄判定において本図の図柄判定テーブルを参照する。各図柄判定テーブルには、「０」〜「９」の数字および「−」の記号で表される特別図柄と図柄抽選値との対応関係が定められている。特別図柄の種類はそれぞれ大当たり、小当たり、外れの当否判定結果と対応付けられており、奇数の数字が大当たりに対応し、偶数の数字が小当たりに対応し、「−」の記号が外れに対応する。
【００３９】
図６（ａ）に示す通り、特別図柄「０」〜「９」のうち奇数の数字である特別図柄「１」「３」「５」「７」「９」が大当たりに対応付けられている。そのうち、特別図柄「７」は確変を伴う１５Ｒ大当たりを示し、図柄抽選値の範囲「０〜９９」に対応付けられる。特別図柄「３」は確変を伴う２Ｒ大当たりを示し、図柄抽選値の範囲「１００〜１４９」に対応付けられる。特別図柄「１」「５」「９」は確変を伴わない１５Ｒ大当たりを示し、図柄抽選値の範囲「１５０〜１８９」に特別図柄「１」が対応付けられ、「１９０〜２２９」に特別図柄「５」が対応付けられ、「２３０〜２５５」に特別図柄「９」が対応付けられる。
【００４０】
図６（ｂ）に示す通り、特別図柄「−」は当否判定結果が外れの場合における全範囲の図柄抽選値に対応付けられている。
【００４１】
図６（ｃ）に示す通り、特別図柄「０」〜「９」のうち偶数の数字である特別図柄「０」「２」「４」「６」「８」が小当たりに対応付けられている。特別図柄「０」は図柄抽選値の範囲「０〜４９」に対応付けられ、特別図柄「２」は図柄抽選値の範囲「５０〜９９」に対応付けられ、特別図柄「４」は図柄抽選値の範囲「１００〜１４９」に対応付けられ、特別図柄「６」は図柄抽選値の範囲「１５０〜１９９」に対応付けられ、特別図柄「８」は図柄抽選値の範囲「２００〜２５５」に対応付けられる。
【００４２】
図７は、事前図柄判定で参照される事前図柄判定テーブルを模式的に示す図である。当否判定手段１１３は当否抽選値が大当たりに該当する場合にこの事前図柄判定テーブルを参照する。図柄抽選値が「０〜９９」の場合はその旨を示す「１」の値を判定結果としての図柄範囲に設定し、図柄抽選値が「１００〜１４９」の場合はその旨を示す「２」の値を判定結果としての図柄範囲に設定する。図柄抽選値が「１５０〜２５５」の場合はその旨を示す「３」の値を判定結果としての図柄範囲に設定する。当否判定手段１１３は、以上のように図柄範囲を設定するたびにその値を保留の個数とともに図柄態様決定手段１３１および演出決定手段１３２へ送信する。なお、当否抽選値が外れまたは小当たりに該当する場合は本図のテーブルは参照せず、外れまたは小当たりを示す値として例えば「４」の値を図柄範囲に設定してもよいし、何も設定しないこととしてもよい。
【００４３】
図３に戻り、変動パターン決定手段１１４は、特別図柄表示装置６１および演出表示装置６０に表示させる図柄変動の表示過程が定められた変動パターンを、別途取得するパターン抽選値に基づいて複数の変動パターンの中から決定してメイン表示制御手段１１８へ送る。変動パターン決定手段１１４は、図柄変動を開始する際に変動パターンテーブルを参照してその図柄変動の変動パターンを決定する。また、変動パターン決定手段１１４は、パターン抽選値がいずれの変動パターン範囲に該当するかの事前パターン判定を実行する。変動パターン決定手段１１４は、変動パターンを決定するために参照する変動パターンテーブルと事前パターン判定テーブルを保持する。変動パターンには、特別図柄を変動表示させるときの変動開始から停止までの変動時間が定められており、その種類によって長短様々な変動時間をもつ。すなわち、各変動パターンには、その図柄変動の終了条件としてパターンごとに変動表示時間が定められており、その変動表示時間の経過時に特別図柄の変動が停止される。なお、図柄変動を開始するにあたって実行する変動パターン判定を、特に事前パターン判定と区別するために、適宜「本判定としての変動パターン判定」とも呼ぶ。
【００４４】
図８は、変動パターンテーブルを模式的に示す図である。変動パターン決定手段１１４は、当否判定結果が外れのときは図８（ａ）に示される外れ用の変動パターンを参照する。変動パターン決定手段１１４は、本判定としての変動パターン判定において本図の変動パターンテーブルを参照する。当否判定結果が１５Ｒ大当たりのときは図８（ｂ）に示される１５Ｒ大当たり用の変動パターンテーブルを参照する。当否判定結果が２Ｒ大当たりまたは小当たりのときは図８（ｃ）に示される２Ｒ大当たりおよび小当たり用の変動パターンテーブルを参照する。
【００４５】
図８（ａ）においては、パターン抽選値０〜１０には「スーパー１」というスーパーリーチが対応付けられ、パターン抽選値１１〜２０には「スーパー２」というスーパーリーチが対応付けられている。パターン抽選値２１〜２５５には「ノーマル１」「ノーマル２」「リーチなし」のいずれかの変動パターンが対応付けられている。このように、当否判定結果が外れの場合、スーパーリーチ、ノーマルリーチ、リーチなしのいずれも選択される可能性がある。なお、外れ用の変動パターンテーブルにおいて、特に「リーチなし」の変動パターンを選択するとき、時短状態においては通常状態よりもさらに変動時間が概ね短い変動パターンが選択されるよう異なるテーブルを参照する。また、外れ用の変動パターンテーブルは保留数ごとに参照すべき欄が異なるように規定されるが、通常状態を例とするその詳細は後述する図１０において説明する。
【００４６】
図８（ｂ）においては、パターン抽選値０〜１２０には「スーパー１」のスーパーリーチが対応付けられ、パターン抽選値１２１〜２４０には「スーパー２」のスーパーリーチが対応付けられている。パターン抽選値２４１〜２５０には「ノーマル１」のリーチが対応付けられ、パターン抽選値２５１〜２５５には「ノーマル２」のリーチが対応付けられている。このように、当否判定結果が１５Ｒ大当たりの場合はリーチ付きの変動パターンが選択される。
【００４７】
図８（ｃ）においては、パターン抽選値０〜１２２には「スーパー３」というスーパーリーチが対応付けられ、パターン抽選値１２３〜２５５には「ノーマル３」というノーマルリーチが対応付けられている。このように当否判定結果が２Ｒ大当たりまたは小当たりの場合は「スーパー３」または「ノーマル３」がそれぞれ約５０％の確率で選択される。
【００４８】
図９は、事前パターン判定で参照される事前パターン判定テーブルを模式的に示す図である。変動パターン決定手段１１４は、当否結果が外れの場合に図９（ａ）のテーブルを参照し、パターン抽選値が「０〜１０」の場合はその旨を示す「１」の値を判定結果としてのパターン範囲に設定し、パターン抽選値が「１１〜２０」の場合はその旨を示す「２」の値を判定結果としてのパターン範囲に設定する。パターン抽選値が「２１〜２５５」の場合はその旨を示す「３」の値を判定結果としてのパターン範囲に設定する。
【００４９】
変動パターン決定手段１１４は、当否結果が１５Ｒ大当たりの場合に図９（ｂ）のテーブルを参照し、パターン抽選値が「０〜１２０」の場合はその旨を示す「４」の値を判定結果としてのパターン範囲に設定し、パターン抽選値が「１２１〜２４０」の場合はその旨を示す「５」の値を判定結果としてのパターン範囲に設定する。パターン抽選値が「２４１〜２５０」の場合はその旨を示す「６」の値を判定結果としてのパターン範囲に設定し、パターン抽選値が「２５１〜２５５」の場合はその旨を示す「７」の値を判定結果としてのパターン範囲に設定する。
【００５０】
変動パターン決定手段１１４は、当否結果が２Ｒ大当たりまたは小当たりの場合に図９（ｃ）のテーブルを参照し、パターン抽選値が「０〜１２２」の場合はその旨を示す「８」の値を判定結果としてのパターン範囲に設定し、パターン抽選値が「１２３〜２５５」の場合はその旨を示す「９」の値を判定結果としてのパターン範囲に設定する。変動パターン決定手段１１４は、以上のようにパターン範囲を設定するたびにその値を保留の個数とともに図柄態様決定手段１３１および演出決定手段１３２へ送信する。
【００５１】
図３に戻り、普図抽選手段１３６は、作動口６８を遊技球が通過したときに抽選値を取得することにより抽選を実行する。普図抽選手段１３６による抽選の結果は、普通図柄表示装置５９において普通図柄の形で変動表示される。普図抽選手段１３６は、普通図柄表示装置５９に表示させる普通図柄の停止図柄を決定するために参照すべき図柄判定テーブルを保持する。その図柄判定テーブルには抽選値と普通図柄の対応関係が定められており、普図抽選手段１３６は普通図柄の停止図柄を図柄判定テーブルを参照して決定する。決定された停止図柄が所定の図柄となった場合に普通図柄が当たりに該当したと判定され、その停止図柄にて普通図柄の変動表示が停止された後に開閉制御手段１２４が始動口６２の普通電動役物を所定時間拡開する。普通図柄の抽選値は、保留制御手段１１６により一時的に保留される。ただし、保留制御手段１１６により保留される所定の保留上限数を超えない場合にだけ抽選値が保留される。
【００５２】
保留制御手段１１６は、特図保留手段１４４および普図保留手段１４７を含む。特図保留手段１４４は、始動口６２へ新たな入球があって新たに当否抽選が実行されるときにそれ以前の入球ないし抽選に対応する図柄変動が表示されている場合、新たな入球に基づく当否抽選の結果をその抽選に対応する図柄の変動表示開始まで保留する。本実施例では当否抽選の結果として４個を上限として当否抽選値と事前判定結果としての当否範囲、図柄範囲、パターン範囲の設定を保持する。あるいは、当否抽選値とは別の領域に事前判定の結果を保持してもよい。普図保留手段１４７は、普図抽選手段１３６により取得された普図抽選値を保留球として保持する。これらの保留数がそれぞれ抽選保留ランプ２０、作動保留ランプ２２の点灯数または点滅数により表される。
【００５３】
メイン表示制御手段１１８は、特図制御手段１４８および普図制御手段１５３を含む。特図制御手段１４８は、当否抽選手段１１１による当否抽選の結果として決定された変動パターンにしたがい特別図柄１９２の変動を特別図柄表示装置６１に表示させる。特図制御手段１４８は、それ以前になされた当否抽選に対応する図柄の変動表示が終了していることを新たな図柄変動の開始条件とする。
【００５４】
特図制御手段１４８は、特別図柄１９２の変動表示を開始するタイミングと停止するタイミングにて、変動開始コマンドと変動停止コマンドを演出表示制御手段１３４へ送信する。変動開始コマンドを送信するとき、本判定として判定ないし決定された当否判定結果、停止図柄、変動パターンのそれぞれを示す値を変動開始コマンドとともに演出表示制御手段１３４へ送信する。変動停止コマンドを送信するとき、あらためて停止図柄を示す値を変動停止コマンドとともに演出表示制御手段１３４へ送信する。これにより、メイン表示制御手段１１８および演出表示制御手段１３４による変動表示が同期し、連動が保たれる。普図制御手段１５３は、普図抽選手段１３６による抽選の結果を普通図柄の変動表示として普通図柄表示装置５９に表示させる。
【００５５】
条件保持手段１７６は、大入賞口の開放を伴う単位遊技を複数回含む特別遊技へ移行するための条件として特別遊技作動条件を保持する。特別遊技作動条件は、当否抽選で特別遊技へ移行する旨を示す結果となり、その抽選に対応する図柄変動が停止したことを条件の内容とする。
【００５６】
特別遊技制御手段１２０は、当否抽選手段１１１による当否抽選が特別遊技への移行を示す結果となった場合、特別図柄１９２が所定の大当たり態様で停止されたときに特別遊技作動条件が成立したと判定し、大入賞口６６を開放させることにより特別遊技を実行する。特別遊技は、大入賞口６６の開閉動作を複数回数連続して継続する遊技であり、１回の開閉を単位とした複数回の単位遊技で構成される。特別遊技には、単位遊技を１５回繰り返す１５Ｒ大当たりと、短い単位遊技を２回だけ繰り返す２Ｒ大当たりがある。１５Ｒ大当たりにおいては、１回の単位遊技において大入賞口６６を原則として約３０秒間開放させる。特別遊技制御手段１２０は、単位遊技の設定ラウンド数を消化したときに特別遊技を終了させる。
【００５７】
特定遊技実行手段１２２は、確変および時短の状態における通常遊技を制御する。特定遊技実行手段１２２は、特別遊技の終了後に必ず時短状態へ移行させる。一方、特別遊技の終了後に確変状態へ移行させるのは、当否判定手段１１３により決定された図柄が確変への移行を伴う大当たり図柄であった場合に限られる。時短状態は、特別図柄１９２の変動表示回数が特別遊技の終了時点から数えて所定の終了条件回数、例えば１００回に達するまで継続される。時短状態においては、特別図柄１９２の変動表示時間が概ね短くなるよう、変動パターン決定手段１１４が変動時間の短い変動パターンを選択する。ただし、通常状態においては、特図保留手段１４４による保留数に応じた変動パターンテーブルを参照し、特図保留手段１４４による保留数が少なくなるほど変動時間の長い変動パターンが出現しやすくなる。一方、確変状態は、次の大当たりによる特別遊技が実行されるまで継続される。確変状態の間は当否判定手段１１３による当否判定結果が大当たりとなる確率が高い値のまま維持される。
【００５８】
開閉制御手段１２４は、始動口６２の普通電動役物や大入賞口６６の開閉を制御する。開閉制御手段１２４は、普通図柄が特定の図柄で停止されると、普通電動役物ソレノイド７６に開放指示を送り、始動口６２を開放させる。また、開閉制御手段１２４は、特別遊技中、大入賞口ソレノイド８０に開放指示を送り、大入賞口６６を開放させる。
【００５９】
パターン記憶手段１３０は、装飾図柄１９０の変動において演出表示装置６０に表示させる演出的な画像内容とその表示過程が定められた複数の演出パターンを保持する。演出パターンには、装飾図柄１９０の変動表示における変動開始から停止までの変動過程と演出過程が定められた複数の変動演出パターンと、装飾図柄の変動表示とは別に表示されて大当たりへの期待度の高さを予告的に示唆する複数の予告演出パターンとが含まれる。
【００６０】
演出決定手段１３２は、当否抽選手段１１１から受け取る当否抽選の結果に応じて、演出表示制御手段１３４によって演出表示装置６０へ表示させる演出内容を決定する。演出決定手段１３２は、変動パターン決定手段１１４により決定された特別図柄の変動パターンに対応する複数の変動演出パターンデータの中からいずれかを選択してパターン記憶手段１３０から読み出し、その変動演出パターンの情報を演出表示制御手段１３４へ送る。図柄態様決定手段１３１は、装飾図柄１９０の停止図柄の組合せを当否抽選手段１１１が決定する特別図柄の停止図柄、特別図柄の変動パターン、装飾図柄の変動演出パターンに応じて決定する。図柄態様決定手段１３１は、決定した停止図柄の組合せを示す情報を演出表示制御手段１３４へ送信する。図柄態様決定手段１３１は、装飾図柄の停止図柄を決定するために参照すべき図柄範囲テーブルを保持する。
【００６１】
装飾図柄１９０の停止図柄は、３つの図柄の組合せとして形成され、例えば当否抽選手段１１１による当否判定結果が１５Ｒ大当たりの特別遊技への移行を示す場合には特定の組合せ、例えば「７７７」や「１１１」のように３つの図柄が揃った組合せが選択される。この場合、装飾図柄１９０として揃える数字には、特別図柄１９２と同じ数字が選ばれるのが好ましい。例えば、特別図柄１９２が「７」の場合は装飾図柄１９０が「７７７」となる。あるいは、３つの図柄の少なくとも一つに当たりであることを示す特定の図柄が含まれる図柄の組み合わせによっても、その大当たりを示すようにしてもよい。当否判定結果が２Ｒ大当たりの場合や小当たりの場合もまた特定の組合せ、例えば「３５７」のような所定の組合せが選択されるが、それらの特定の組合せは必ずしも３つの図柄が揃った組合せでなくてもよい。当否判定結果が大当たりでも小当たりでもない場合は、「３１２」や「９４６」のように３つの図柄が揃っていない組合せであって、２Ｒ大当たりや小当たりのときに選択される特定の組合せに該当しない組合せが選択される。当否判定結果が１５Ｒ大当たりではない場合であって、リーチ付きの外れを示す変動パターンが選択された場合は、「１９１」や「７２７」のように一つだけ図柄が揃っていない組合せを選択する。
【００６２】
装飾図柄の変動演出パターンデータには、装飾図柄の変動表示態様、すなわち装飾図柄の変動開始から変動停止までの変動過程と演出過程が定義される。変動演出パターンには、あと一つ図柄が揃えば大当たりとなるリーチ状態を経てから当たり態様または外れ態様である停止図柄組合せを表示するリーチパターンと、リーチ状態を経ずに外れ態様である停止図柄組合せを表示するリーチなしパターンが含まれる。特に、リーチ状態を経るときのパターンとしては、長短様々な変動時間をもつパターンが含まれ、相対的に変動時間の短いリーチパターンを「ノーマルリーチ」と称し、変動時間の長いリーチパターンを「スーパーリーチ」と称する。各変動演出パターンには、その図柄変動の終了条件としてパターンごとに変動時間が定められており、その変動時間の経過時に図柄変動が停止される。演出決定手段１３２は、特別図柄の変動パターンに応じて、特別図柄と変動時間が等しい装飾図柄の変動演出パターンを選択する。
【００６３】
予告演出パターンは、特定のキャラクタやモチーフの画像、アニメーション、映像などを一時的に画面表示させる演出パターンや、特定の音声を出力する演出パターンである。予告演出パターンによる演出は、図柄変動と並行して実行され、その図柄変動が大当たり態様にて停止する期待度が高いことを予告的に示唆する。
【００６４】
予告演出パターンには、装飾図柄１９０の表示態様がリーチ状態となった後のタイミングで演出が実行されて図柄の最終的な停止態様を予告するパターンと、装飾図柄１９０が一つも停止していないタイミングで演出が実行されてリーチ状態となることを同時に予告するパターンとがある。
【００６５】
演出決定手段１３２は、当否抽選の結果に応じて演出表示装置６０に予告演出を表示させるか否かを所定の予告抽選により決定するとともに、表示させるべき予告演出パターンを決定する。演出決定手段１３２は、予告演出を表示させるか否かを決定するために参照すべき予告決定テーブルと、予告演出パターンの種類を選択するときに参照すべき予告種類テーブルとを保持する。予告決定テーブルは、当否抽選の結果に応じて異なる欄が参照されるように設定されており、当否抽選が当たりの場合は外れの場合よりも高い確率で予告演出を表示させるよう、当否抽選の結果と予告演出を表示するか否かの対応関係が定められる。これにより、予告演出が表示されること自体で大当たりへの期待度の高さを示唆することができる。
【００６６】
演出表示制御手段１３４は、当否抽選手段１１１による当否抽選の結果を、選択された変動演出パターンデータにしたがって演出表示装置６０へ装飾図柄を含む演出画像を変動表示させる。演出表示制御手段１３４は、それ以前の当否抽選に対応する装飾図柄１９０の変動表示が終了していることを新たな図柄変動の開始条件とする。演出表示制御手段１３４は、予告演出を表示させる旨が演出決定手段１３２により決定された場合、選択された予告演出パターンにしたがった予告演出を図柄変動の演出に重畳させて演出表示装置６０へ同時表示させる。このように演出表示制御手段１３４は、装飾図柄１９０の変動表示を含む図柄変動演出を演出表示装置６０に表示させる。演出表示制御手段１３４は、遊技効果ランプ９０の点灯および消灯や、スピーカ１８からの音声出力などの演出処理をさらに制御する。
【００６７】
本実施例の予告演出には、複数回の図柄変動にわたって連続的に表示される連続変動演出として連続予告演出が含まれる。連続予告演出は、特図保留手段１４４に保留されている結果のうちいずれかが当たりを示すか否かに応じて、その結果に対応する図柄変動に至るまでの複数回の図柄変動のそれぞれに演出表示要素を表示させる演出である。その演出表示要素を複数回の図柄変動のそれぞれに表示させることで、全体として当たりの期待度を示唆する一つの演出内容が展開される。本実施例においては、一つの連続変動演出において演出表示要素を５回出現させた場合に大当たりである確率が最も高いことを示し、５回以外の出現であったときは５回の場合より大当たりである確率が低いことを示す。したがって、演出表示要素の出現回数が増加して５回に近づくほど大当たりへの遊技者の期待度も増していく。また、演出表示要素の出現回数が５回に近い回数であるほど大当たりである確率も高まるように設計してもよい。なお、変形例においては、演出表示要素の出現回数が５回であった場合には大当たりであることが確定する設計としてもよいし、逆に５回以外であった場合には外れであることが確定する設計としてもよい。
【００６８】
演出決定手段１３２は、事前判定結果として取得する当否抽選の結果の中に大当たりの結果が含まれる場合に、大当たりの結果が含まれていない場合よりも高い確率で連続予告演出の開始を決定する。演出決定手段１３２は、連続予告演出の開始前にその時点の事前判定において選択されている変動パターンに基づく演出表示要素の表示許容度に応じて図柄の変動ごとに表示させる演出表示要素の態様を決定することで連続予告演出の演出内容を決定する。
【００６９】
本実施例における演出表示要素は、所定のキャラクタが出現する映像であり、形状や色彩等の外観が異なる５種類のキャラクタが用意される。連続予告演出において演出表示要素を１種類ずつ順次出現させていき、連続予告演出の終了までに全種類の演出表示要素が出現すれば大当たりとなる可能性が高いことを示す。逆に全種類に満たない数の演出表示要素出現であれば、全種類の場合と比べて大当たりとなる可能性は低いことを示す。
【００７０】
本実施例における演出表示要素の表示許容度は、連続予告演出が表示される複数回の図柄変動のそれぞれに演出表示要素の出現が時間的にどの程度許容されるかを示す。複数回の図柄変動のそれぞれに演出表示要素の０〜５回の出現が時間的に許容され、その表示許容度は図柄変動時間の長さに応じて定まる。例えば、演出表示要素１種類を出現させるのに３秒間の表示時間を要する場合、図柄変動そのものに要する時間を最低限確保するとして、３０秒以上の図柄変動時間であれば０〜５回の表示許容度で何回でも演出表示要素を出現させることができ、１０秒間では０〜３回の表示許容度で演出表示要素を出現させることができる。７秒間の場合は０〜２回の表示許容度で演出表示要素を出現させることができるが、３秒間の場合は全時間を演出表示要素の表示に使用するわけにはいかないため、１回も演出表示要素を出現させることはできず、表示許容度は０回となる。
【００７１】
演出決定手段１３２は、連続予告演出の内容を決定する場合、事前判定の段階で複数回の図柄変動における演出表示要素出現の配分予定を決定する。本実施例の連続予告演出は一律に３回の図柄変動で構成される。なお、特図保留手段１４４による４個目の保留に大当たりがセットされた場合であっても、その時点で保留数が４個に達しているため、直後の図柄変動は超短縮変動となって実質的に演出表示要素を出現させる演出ができない。このように、４個目の保留が大当たりの場合でも２番目の図柄変動から連続予告演出を開始させることとなるため、連続予告演出はつねに３回の図柄変動で構成する。３回の図柄変動のうち、１回目の図柄変動において演出表示要素を２回出現させ、２回目と３回目の図柄変動においてそれぞれ１回ずつ演出表示要素を出現させる予定を決定する。変形例としては、３回以外の図柄変動回数で構成される連続予告演出が選択肢として含まれてもよい。その上で、連続予告演出の開始を決定するたびに図柄変動回数をランダムに決定し、その回数で連続予告演出を構成させてもよい。
【００７２】
演出決定手段１３２は、本判定において選択される変動パターンが事前判定において選択された変動パターンと異なる変動パターンとなった場合、その相違に基づく演出表示要素の表示許容度の変化に応じて演出表示要素の態様を決定し直す。すなわち、事前判定においていったん予定された図柄変動時間が本判定によって短くなると演出表示要素の表示許容度が事後的に低下するため、演出表示要素の出現配分を変更して演出内容を決定し直す。例えば、３回の図柄変動において２回、２回、１回の演出表示要素出現を予定していた場合に、１回目の図柄変動中に始動口６２へ新たに入球があり保留数が４個に達すると、２回目の図柄変動はいわゆる超短縮変動となって時間的に演出表示要素は表示できない。３回目の図柄変動では不足分をすべて消化するよう演出表示要素を３回出現させることにより、当初の予定通りに帳尻を合わせて全体で５回の演出表示要素出現を維持できる。
【００７３】
最後の図柄変動では特に大きな調整を要する可能性もあるため、十分な調整時間を確保すべく、演出決定手段１３２は最後の図柄変動が相対的に変動時間の長い変動パターンであるか否かに応じて連続予告演出の開始を決定する。例えば、判断の対象となる当否抽選の結果が当たりであるか否かにかかわらず、その変動パターンとして変動時間が少なくとも３０秒以上であるスーパーリーチの変動パターンが選択された場合に限り連続予告演出の開始を決定する。すなわち、事前パターン判定においては図９に示す変動パターン範囲が「１」「２」「４」「５」のいずれかであった場合に連続予告演出の開始を決定する。
【００７４】
このように、保留される当否抽選結果数の事後的な変化によって変動パターンが当初の予定とは異なることとなっても、その後の図柄変動において表示させる演出表示要素の態様を調整することで演出全体の示唆内容をそのまま維持することができる。すなわち、予定回数の図柄変動の間に予定通りの回数の演出表示要素を出現させ、演出による示唆内容が当否抽選の結果と矛盾することを回避することができる。また、そのような矛盾の回避をするために演出が不自然となることも回避することができる。
【００７５】
役物制御手段１３５は、演出表示制御手段１３４から受け取る指示にしたがい、演出表示装置６０における演出内容や遊技効果ランプ９０の点滅過程に沿って、可動役物１４０を演出的に動作させる。
【００７６】
図１０は、外れ用の変動パターンテーブルを詳細に示す図である。本図の変動パターンテーブル２１０においては、図柄変動開始時点における保留数ごとにそれぞれ変動パターンに対応付けられたパターン抽選値の範囲が異なる。具体的には、保留数が少ないほど変動時間が相対的に長い変動パターンに割り当てられたパターン抽選値の範囲が広くされており、それら変動時間の長い変動パターンが選択される確率を高めている。そのため、特図保留手段１４４による保留数が少ないほど平均的な変動時間が長くなる。したがって、特図保留手段１４４による保留数が所定数、例えば１〜２個より少なくなった場合に、変動時間の長い変動パターンの選択確率が通常より高くなり、変動時間が比較的長くなりやすい。
【００７７】
第１欄２１２には、特図保留手段１４４による当否抽選の結果保留数が０の場合のパターン抽選値範囲と変動パターンとの対応関係が示される。同様に、第２欄２１４、第３欄２１６、第４欄２１８、第５欄２２０に、特図保留手段１４４による当否抽選の結果保留数がそれぞれ１、２、３、４の場合のパターン抽選値範囲と変動パターンとの対応関係が示される。すなわち、第１欄２１２、第２欄２１４、第３欄２１６、第４欄２１８、第５欄２２０が保留数ごとの変動パターンテーブルを示すと考えることができる。本図では、外れのときに選択され得る複数の変動パターンを変動時間別に５種類に分類した例を説明するが、実際にはそれらの分類ごとに複数の変動演出パターンが用意されており、全体で数十種類の変動演出パターンがそれぞれの分類ごとの抽選値範囲に対応付けられていることに等しい。
【００７８】
第１範囲２２２には、抽選値が０から１０までのパターン抽選値に該当する場合の変動パターンとして、第１欄２１２、第２欄２１４、第３欄２１６、第４欄２１８、第５欄２２０のいずれにも「スーパー１」というスーパーリーチの変動パターンが対応付けられる。第２範囲２２４には、抽選値が１１から２０までのパターン抽選値に該当する場合の変動パターンとして、第１欄２１２、第２欄２１４、第３欄２１６、第４欄２１８、第５欄２２０のいずれにも「スーパー２」というスーパーリーチの変動パターンが対応付けられる。このように、抽選値が０から１０までのパターン抽選値と抽選値が１１から２０までのパターン抽選値の場合には、保留数にかかわらず同じ変動時間の変動パターンが選択される。
【００７９】
第３範囲２２６には、抽選値が２１から２５５までのパターン抽選値に該当する場合の変動パターンとして、第１欄２１２、第２欄２１４、第３欄２１６、第４欄２１８、第５欄２２０にはそれぞれノーマルリーチである「ノーマル１」「ノーマル２」と「リーチなし外れ」の３種類の変動パターンが対応付けられる。ただし、それぞれの変動パターンが対応付けられるパターン抽選値の範囲は保留数によって異なる。第１欄２１２では、「ノーマル１」「ノーマル２」「リーチなし」のそれぞれが対応付けられる抽選値範囲の大きさがそれぞれほぼ等しく、２１から２５５をほぼ３等分した範囲が対応付けられている。これに対し、第２欄２１４では、「ノーマル１」「ノーマル２」のそれぞれに対応付けられる抽選値範囲の大きさが「リーチなし」に対応付けられる抽選値範囲よりやや小さい。また、第３欄２１６では「ノーマル１」「ノーマル２」のそれぞれに対応付けられる抽選値範囲の大きさがさらに小さくなり、第４欄２１８および第５欄２２０にて「ノーマル１」「ノーマル２」のそれぞれに対応付けられる抽選値範囲の大きさはまたさらに小さくなっている。
【００８０】
「ノーマル１」「ノーマル２」の変動時間は「リーチなし外れ」の変動時間より長くてもよく、また「リーチなし外れ」のときは時短状態のように変動時間が短縮される場合もあるため、上記の第３範囲２２６の設定内容に応じて平均的な変動時間が異なることとなる。保留数が０から１、２、３、４と多くなるにつれて「ノーマル１」および「ノーマル２」のパターン抽選値範囲は小さくなり、逆に「リーチなし外れ」のパターン抽選値範囲が大きくなる。したがって、保留数が多いほど平均的な変動時間は短くなり、逆に保留数が少ないほど平均的な変動時間は長くなる。このように保留数ごとにパターン抽選値範囲と変動パターンの対応関係が異なる変動パターンテーブルを用いることにより、保留数が少なくなったときに変動時間の長い変動パターンが選択されやすくなる制御を実現することができる。
【００８１】
第４欄２１８に対応付けられた「リーチなし外れ」の変動パターンは、第１欄２１２、第２欄２１４、第３欄２１６に対応付けられた「リーチなし外れ」よりも変動時間が短い、いわゆる「短縮変動」の変動パターンである。また、第５欄２２０に対応付けられた「リーチなし外れ」の変動パターンは、第１欄２１２、第２欄２１４、第３欄２１６に対応付けられた「リーチなし外れ」よりも変動時間が短い７秒間であり、第４欄２１８の「短縮変動」よりもさらに変動時間が短い、３秒間のいわゆる「超短縮変動」の変動パターンである。これにより、始動口６２へ入球したときに保留数が０〜２であれば、少なくとも通常の変動時間以上の変動パターンが事前判定で選択されるが、図柄変動を開始する時点で保留数が３または４となっていれば、実際には通常の変動時間より短い変動時間の変動パターンが選択される。したがって、事前判定の時点で予定する変動時間に合わせて連続的な予告演出を設定しても、事後的にその変動時間が確保できなくなって予定通りの予告演出ができなくなる場合が生じる。そのため、事前判定の時点では連続予告演出を構成する複数の図柄変動のうち最後の図柄変動以外については個別の変動時間を特に仮決定しないまま演出表示要素の配分を仮決定してもよい。あるいは、事前判定の時点で仮決定される各図柄変動の変動時間に合わせて演出表示要素の配分を仮決定してもよい。
【００８２】
図１１は、連続予告演出における演出表示要素の出現過程を模式的に示す図である。連続予告演出における最初の図柄変動である第１図柄変動２５０の画面では第１演出表示要素２６０と第２演出表示要素２６２が順次出現した後で、リーチなし外れの態様にて装飾図柄１９０が順次停止表示される。第１図柄変動２５０の図柄変動時間は、例えば１０秒間である。次に、第２図柄変動２５２の画面では第３演出表示要素２６４と第４演出表示要素２６６が順次出現した後で、リーチなし外れの態様にて装飾図柄１９０が順次停止表示される。第２図柄変動２５２の図柄変動時間もまた、例えば１０秒間である。最後に、第３図柄変動２５４の画面では第５演出表示要素２６８が出現した後で、リーチ画面２５６のようにリーチ態様を経て装飾図柄１９０が当たり態様で停止表示される。第３図柄変動２５４の図柄変動時間は、例えば３０秒間である。
【００８３】
以上のように、本実施例における連続予告演出では、３回の図柄変動において演出表示要素が２回、１回、１回の配分で順次出現させられる。この連続予告演出は、その間に演出表示要素が５回出現すれば大当たりの可能性が高いことを前提としている。本図の例では合計で５種類の演出表示要素が出現しており、リーチ画面２５６の後に高い確率で大当たりが成立する。逆に、最後の図柄変動が外れである場合には、３回の図柄変動において出現する演出表示要素の合計数が高い確率で５回以外となるように配分する。
【００８４】
図１２は、連続予告演出の開始を決定する時点における演出表示要素の配分と、連続予告演出の開始後に調整した演出表示要素の配分を模式的に示す。図１２（ａ）は図１１の演出過程と同じ配分であり、事前判定の結果として決定された複数回分の変動パターンにしたがって予定される演出表示要素の配分である。第１図柄変動２５０と第２図柄変動２５２は、それぞれ１０秒間の変動パターンにしたがった図柄変動であり、第３図柄変動２５４は３０秒間のスーパーリーチの変動パターンにしたがった図柄変動である。第１図柄変動２５０と第２図柄変動２５２のそれぞれにおいては演出表示要素を２回ずつ、第３図柄変動２５４においては演出表示要素を１回、それぞれ出現させる予定とする。
【００８５】
図１２（ｂ）は事後的に図柄変動時間が短縮された場合の演出表示要素の配分である。第１図柄変動３００は図１２（ａ）の第１図柄変動２５０に相当し、図柄変動時間は変更されておらずそのまま演出表示要素が２回出現する。第１図柄変動３００が表示される間に特図保留手段１４４による保留数が４個以上に達した結果、第２図柄変動３０２が超短縮変動である３秒の図柄変動時間となる。そのため、第２図柄変動３０２においては演出表示要素が１回も出現しない。第２図柄変動２５２のような１０秒の図柄変動時間が第２図柄変動３０２のように３秒の図柄変動時間に短縮されると、演出表示要素は１回も出現させられないので、その未消化分を別の図柄変動において追補的に消化することで帳尻を合わせる必要が生じる。本図の例では、最後の図柄変動である第３図柄変動３０４において演出表示要素を２回分プラスして３回出現させるよう決定し直す。これにより、全体として５回の演出表示要素の出現を維持することができ、示唆内容と演出内容の矛盾を回避することができる。
【００８６】
図１３は、第１図柄変動、第２図柄変動、第３図柄変動のそれぞれに全部で５種類の演出表示要素を出現させる場合の演出表示要素の出現回数の組合せを示すテーブルの図である。すなわち、本図に示される出現回数の組合せは、最後の図柄変動が大当たりに該当する場合であり、最後の図柄変動が外れに該当する場合には本図の組合せと異なり、合計で例えば４回となるような配分がなされる。
【００８７】
ここで、第１図柄変動が１０秒間の図柄変動である場合は、第１図柄変動での演出表示要素の出現回数を「２回」または「３回」とし、第２図柄変動と第３図柄変動でも可能な限り１回以上の演出表示要素を出現させるよう分散させて最適な配分とする。したがって、３回の図柄変動のそれぞれにおける演出表示要素の出現回数が「２回、１回、２回」「２回、２回、１回」「３回、１回、１回」となる３通りの組合せからいずれかが原則として最初に選択される。ただし、連続予告演出の開始までに第１図柄変動が短縮変動であることが確定した場合は、「１回、１回、３回」「１回、２回、２回」「２回、１回、２回」「２回、２回、１回」のうちいずれかから選択される。また、連続予告演出の開始までに第１図柄変動が超短縮変動であることが確定した場合は、「０回、１回、４回」「０回、２回、３回」のいずれかが選択される。
【００８８】
連続予告演出の開始後に第２図柄変動が短縮変動または超短縮変動となることが確定した場合、第１図柄変動で選択された出現回数に応じて第２図柄変動と第３図柄変動の配分が決められる。例えば、第２図柄変動と第３図柄変動で残り２回分の出現を配分すべき場合は、第２図柄変動が短縮変動であれば「１回、１回」と配分し、第２図柄変動が超短縮変動であれば「０回、２回」と配分する。同様に、残り３回分の出現を配分すべき場合は、第２図柄変動が短縮変動であれば「１回、２回」と配分し、第２図柄変動が超短縮変動であれば「０回、３回」と配分する。残り４回分の出現を配分すべき場合は、第２図柄変動が短縮変動であれば「１回、３回」と配分し、第２図柄変動が超短縮変動であれば「０回、４回」と配分する。残り５回分の出現を配分すべき場合は、第２図柄変動が短縮変動であれば「１回、４回」と配分し、第２図柄変動が超短縮変動であれば「０回、５回」と配分する。なお、最後の図柄変動が外れの場合や連続予告演出の回数が３回以外の場合であっても、その時点以降に表示させるべき演出表示要素の残り出現回数に応じて図柄変動ごとに配分する点は上記と同様である。
【００８９】
演出決定手段１３２は、連続予告演出を表示させる複数回の図柄変動における変動時間の組合せに応じて図１３のようなテーブルに含まれるいずれかの組合せを選択し、その組合せに応じた予告演出パターンを選択する。また、連続予告演出を表示させる複数回の図柄変動における変動時間の組合せが変化するたびに、その変化後の組合せに応じてテーブルに含まれるいずれかの組合せを選択し直すとともに、選択し直した組合せに応じて予告演出パターンを差し替える。
【００９０】
図１４は、ぱちんこ遊技機における基本的な動作過程を示すフローチャートである。まず、遊技球が始動口６２、一般入賞口７２、大入賞口６６などへ入賞した場合の処理を実行し（Ｓ１０）、通常遊技中であれば（Ｓ１２のＹ）、図柄変動などの通常遊技の制御処理を実行し（Ｓ１４）、通常遊技中でなければ（Ｓ１２のＮ）、特別遊技の制御処理を実行する（Ｓ１６）。その後、Ｓ１０の入賞処理においてセットされた賞球数にて各種入賞に応じた賞球払出を処理する（Ｓ１８）。
【００９１】
図１５は、図１４におけるＳ１０の入賞処理を詳細に示すフローチャートである。始動口６２に入球があった場合（Ｓ２０のＹ）、始動口６２に対応する賞球数をセットし（Ｓ２２）、特図保留手段１４４による保留数が４未満であるか否かを参照してさらなる保留が可能な状態であれば（Ｓ２４のＹ）、当否抽選値を取得する（Ｓ２６）。その当否抽選値に基づいて当否判定する事前判定処理を実行し（Ｓ２８）、当否抽選値を特図保留手段１４４に保留する（Ｓ３０）。Ｓ２０において始動口６２への入球がない場合はＳ２２からＳ３０までの処理をスキップする（Ｓ２０のＮ）。Ｓ２４において保留数が上限に達していてさらなる保留が不可能な場合はＳ２６からＳ３０までの処理をスキップする（Ｓ２４のＮ）。
【００９２】
一般入賞口７２に入球があった場合は（Ｓ３２のＹ）、一般入賞口７２に対応する賞球数をセットし（Ｓ３４）、一般入賞口７２への入球がないときはＳ３４をスキップする（Ｓ３２のＮ）。大入賞口６６に入球があった場合は（Ｓ３６のＹ）、大入賞口６６に対応する賞球数をセットし（Ｓ３８）、大入賞口６６への入球がないときはＳ３８をスキップする（Ｓ３６のＮ）。
【００９３】
図１６は、図１５におけるＳ２８の事前判定処理を詳細に示すフローチャートである。まず、事前当否判定テーブルを参照して事前当否判定を実行し（Ｓ４０）、その判定結果として当否範囲を示す値を設定し（Ｓ４２）、事前図柄判定テーブルを参照して事前図柄判定を実行し（Ｓ４４）、その判定結果として図柄範囲を示す値を設定し（Ｓ４６）、事前パターン判定テーブルを参照して事前パターン判定を実行し（Ｓ４８）、その判定結果としてパターン範囲を示す値を設定する（Ｓ５０）。以上のように設定された事前判定結果の値が、保留の個数とともに送信バッファに一時保存され、サブ基板１０４の図柄態様決定手段１３１および演出決定手段１３２へ送信される（Ｓ５２）。
【００９４】
図１７は、図１４におけるＳ１４の通常遊技制御処理の全体的な過程を示すフローチャートである。この通常遊技制御処理は、サブ基板１０４における先読み処理が実行され（Ｓ１５０）、メイン基板１０２における特別図柄変動処理の実行（Ｓ１５２）、サブ基板１０４における装飾図柄変動処理の実行（Ｓ１５４）が、繰り返し処理されることとなる。
【００９５】
図１８は、図１７におけるＳ１５０の先読み処理を詳細に示すフローチャートである。いわゆる先読みによって得られる情報に基づいてどのような演出をサブ基板１０４において実行するか、また事前判定結果がどのような結果の場合にその結果に応じた演出を実行するかといった基準は、ぱちんこ遊技機１０における遊技性の設計に応じて種々考えられる。本実施例においては、「スーパー１」または「スーパー２」の変動パターンが新たに選択されたことを事前判定処理の結果に基づいてあらかじめサブ基板１０４側でも認識したことを条件に、連続予告演出により大当たりの期待度が高いことを演出的に示唆する決定をする。すなわち、事前パターン判定において変動パターン範囲が「１」「２」「４」「５」のいずれかであったことを条件に連続予告演出の開始を決定する。ただし、「１」「２」「４」「５」の変動パターン範囲に係る事前判定での当否判定結果が大当たりであった場合は、大当たりでなかった場合よりも高い確率で連続予告演出を実行する旨の決定をする。
【００９６】
サブ基板１０４の演出決定手段１３２がメイン基板１０２から事前判定結果を受信した場合（Ｓ１６０のＹ）、演出表示制御手段１３４は事前判定結果とともに受信した当否範囲、パターン範囲および保留数の情報に基づいて、その時点での保留数が連続予告演出の実行に必要な３回分以上の図柄変動が確保される保留数となっており（Ｓ１６４のＹ）、連続予告演出中でなければ（Ｓ１６５のＮ）、事前判定により設定された当否範囲の値が「１」でパターン範囲の値が「４」または「５」の場合、つまり確変状態であるか否かにかかわらず大当たり確定となり、「スーパー１」または「スーパー２」を伴う場合（Ｓ１６６のＹ）、連続予告演出を開始させるか否かを当否判定結果に応じた確率での抽選で決定する（Ｓ１７２）。一方、その当否範囲の値がこれと異なる値であっても（Ｓ１６６のＮ）、事前判定により設定された当否範囲の値が「３」でパターン範囲の値が「１」または「２」の場合、つまり外れ確定にはなるが「スーパー１」または「スーパー２」を伴う場合にも（Ｓ１６８のＹ）、連続予告演出を開始させるか否かを当否判定結果に応じた確率での抽選で決定する（Ｓ１７２）。
【００９７】
Ｓ１６８において当否範囲の値とパターン範囲の値が該当しない場合は（Ｓ１６８のＮ）、Ｓ１７２をスキップする。連続予告演出中である場合には（Ｓ１６５のＹ）、Ｓ１６６からＳ１７２をスキップする。保留数が所定数に満たない場合は（Ｓ１６４のＮ）、Ｓ１６６からＳ１７２までの処理をスキップする。事前判定処理の結果を受信していない場合は本図のフロー全体をスキップする（Ｓ１６０のＮ）。なお、本図の例では、事前判定により設定された当否範囲とパターン範囲に基づいて連続予告演出を開始すべきか否かを決定する。変形例としては事前判定結果として送られる当否範囲およびパターン範囲のいずれかの情報を用いて連続予告演出を開始すべきか否かを決定してもよい。なお、本実施例では、当否判定の結果が通常時および確変時を問わず大当たりの場合、つまり大当たり確定の場合に連続予告演出の開始を決定する例を示したが、確変時のみに大当たりとなる場合、あるいは小当たりとなる場合に連続予告演出の開始を決定するようにしてもよい。あるいは、１５Ｒ大当たりまたは２Ｒ大当たりのときに、連続予告演出の開始を決定するようにしてもよい。
【００９８】
図１９は、図１７におけるＳ１５２の特別図柄変動処理の実行処理を詳細に示すフローチャートである。まだ図柄変動表示が開始されていない場合（Ｓ６０のＮ）、特図保留手段１４４により当否抽選値の保留がなされている場合（Ｓ７０のＹ）、当否判定手段１１３が特図保留手段１４４から当否抽選値を読み出してあらためて特別図柄１９２の当否を判定し（Ｓ７２）、当否判定手段１１３が特別図柄１９２を決定し（Ｓ７４）、変動パターン決定手段１１４が特別図柄１９２の変動パターンを決定し（Ｓ７６）、決定した結果とともに変動開始コマンドをサブ基板１０４へ送信して特別図柄１９２の図柄変動を開始する（Ｓ７７）。特図保留手段１４４により抽選値の保留がなされていない場合はＳ７２からＳ７７までの処理をスキップする（Ｓ７０のＮ）。
【００９９】
すでに図柄変動表示が開始されている場合（Ｓ６０のＹ）、特別図柄の図柄変動表示を処理し（Ｓ７８）、所定の変動時間が経過して図柄表示の停止タイミングに達したときは（Ｓ８０のＹ）、変動停止コマンドをサブ基板１０４へ送信して表示中の図柄変動をあらかじめ決定された停止図柄にて停止し（Ｓ８２）、本図のフローを終了する。図柄表示の停止タイミングに達していない場合はＳ８２の処理をスキップして本図のフローを終了する（Ｓ８０のＮ）。
【０１００】
図２０は、図１９におけるＳ１５４の装飾図柄変動処理の実行処理を詳細に示すフローチャートである。サブ基板１０４の演出決定手段１３２がメイン基板１０２から変動開始コマンドを受信した場合（Ｓ１８０のＹ）、受信した特別図柄の停止図柄、変動パターン、当否判定結果に応じて装飾図柄の停止態様を決定し（Ｓ１８２）、新たな変動演出パターンを決定する（Ｓ１８４）。ここで、連続予告演出を実行する旨の決定がなされている場合（Ｓ１８６のＹ）、次の図柄変動時間とそれ以降の図柄変動時間に応じて演出表示要素の出現配分が最適となるように予告演出パターンを決定する（Ｓ１９２）。このとき、すでに事前に決定されていた予告演出パターンがその後の表示許容度の変化によって表示不可となっていた場合は、事前に決定されていた予告演出パターンとは異なる予告演出パターンを決定し直すこととなる。その後、装飾図柄の変動表示を開始する（Ｓ１９６）。
【０１０１】
連続予告演出を実行する旨の決定がなされていない場合（Ｓ１８６のＮ）、Ｓ１９２の処理をスキップする。メイン基板１０２から変動開始コマンドを受信しなかった場合はＳ１８２からＳ１９６をスキップする（Ｓ１８０のＮ）。
【０１０２】
すでに装飾図柄の変動表示が開始済みであれば（Ｓ１９８のＹ）、その図柄変動や予告演出の表示処理を実行し（Ｓ２００）、メイン基板１０２から変動停止コマンドを受信したときは（Ｓ２０２のＹ）、Ｓ１８２で決定された停止態様にて装飾図柄を停止表示させることで図柄変動表示を停止する（Ｓ２０４）。変動停止コマンドをメイン基板１０２から受信していないときはＳ２０４をスキップし（Ｓ２０２のＮ）、変動表示が開始済みでないときはＳ２００からＳ２０４をスキップする（Ｓ１９８のＮ）。
【０１０３】
図２１は、図１４におけるＳ１６の特別遊技を詳細に示すフローチャートである。まず、大入賞口６６がまだ開放済でない場合（Ｓ１００のＮ）、演出表示制御手段１３４が特別遊技の演出処理を開始し（Ｓ１０２）、開閉制御手段１２４が大入賞口６６を開放する（Ｓ１０４）。大入賞口６６が開放済であればＳ１０２およびＳ１０４をスキップする（Ｓ１００のＹ）。大入賞口６６が開放されてから、所定の開放時間が経過した場合（Ｓ１０６のＹ）、または、開放時間が経過していないものの（Ｓ１０６のＮ）、大入賞口６６への入球数が９球以上に達した場合（Ｓ１０８のＹ）、開閉制御手段１２４が大入賞口６６を閉鎖させる（Ｓ１１０）。開放時間が経過しておらず（Ｓ１０６のＮ）、大入賞口６６への入球数も９球以上に達していない場合は（Ｓ１０８のＮ）、Ｓ１１０以降の処理をスキップしてＳ１６のフローを終了する。
【０１０４】
Ｓ１１０における大入賞口６６の閉鎖後、単位遊技が最終ラウンドに達していた場合（Ｓ１１２のＹ）、演出表示制御手段１３４は特別遊技の演出処理を終了させ（Ｓ１１４）、特別遊技制御手段１２０は特別遊技を終了させ（Ｓ１１６）、特定遊技、すなわち確変および時短の実行を開始する（Ｓ１１８）。単位遊技が最終ラウンドに達していなければ（Ｓ１１２のＮ）、ラウンド数に１を加算してＳ１６のフローを終了する（Ｓ１１９）。
【０１０５】
以上、本発明を実施例をもとに説明した。この実施例はあくまで例示であり、それらの各構成要素や各処理プロセスの組合せにいろいろな変形例が可能なこと、またそうした変形例も本発明の範囲にあることは当業者に理解されるところである。
【０１０６】
上記の実施例においては、請求項にいう「連続変動演出」を連続的な予告演出である連続予告演出で実現する例を説明した。変形例としては、「連続変動演出」を複数回分の変動演出パターンを用いて連続的に演出する構成としてもよい。
【０１０７】
上記の実施例においては、連続予告演出として、演出表示要素の出現回数の合計によって大当たりへの期待度の高さを示唆する演出の例を説明した。変形例においては、その合計の出現回数にかかわらず、所定の種類の演出表示要素がすべて出現したか否かで大当たりへの期待度の高さを示唆してもよい。例えば、種類Ａと種類Ｂが双方とも出現すれば大当たりになるところ、種類Ａばかりが何度も出現しても種類Ｂが一度も出現しない場合には大当たりとはならないとする演出である。あるいは、演出表示要素の出現順序を問う形の演出であってもよい。例えば、種類Ａ、Ｂ、Ｃの順に出現すれば大当たりになるところ、種類Ａ、Ｃ、Ｂの順に出現した場合には大当たりとならないとする演出である。
【符号の説明】
【０１０８】
１０  ぱちんこ遊技機、  ５０  遊技盤、  ５２  遊技領域、  ６０  演出表示装置、  １１１  当否抽選手段、  １１２  抽選値取得手段、  １１３  当否判定手段、  １１４  変動パターン決定手段、  １１６  保留制御手段、  １２０  特別遊技制御手段、  １３２  演出決定手段、  １３４  演出表示制御手段。
【図１】
2010233702.tif 000003
【図２】
2010233702.tif 000004
【図３】
2010233702.tif 000005
【図４】
2010233702.tif 000006
【図５】
2010233702.tif 000007
【図６】
2010233702.tif 000008
【図７】
2010233702.tif 000009
【図８】
2010233702.tif 000010
【図９】
2010233702.tif 000011
【図１０】
2010233702.tif 000012
【図１１】
2010233702.tif 000013
【図１２】
2010233702.tif 000014
【図１３】
2010233702.tif 000015
【図１４】
2010233702.tif 000016
【図１５】
2010233702.tif 000017
【図１６】
2010233702.tif 000018
【図１７】
2010233702.tif 000019
【図１８】
2010233702.tif 000020
【図１９】
2010233702.tif 000021
【図２０】
2010233702.tif 000022
【図２１】
2010233702.tif 000023